(57)【特許請求の範囲】
【請求項１】
直流電力を出力する燃料電池本体と、発電運転用の供給物質を生成調整して前記燃料電池本体に供給する供給物生成調整設備と、前記直流電力を交流電力に変換する逆変換装置と、前記逆変換装置からの電力及び交流系統からの電力を切り替えて負荷へ供給する切替手段とを有する燃料電池発電システムにおいて、
前記切替手段によって前記負荷への電力供給を前記交流系統側から前記逆変換装置側へ切り替える前に、前記燃料電池本体の定格負荷電流値が設定され、前記定格負荷電流値に応じた信号を送出する設定電流信号生成手段と、
前記設定電流信号生成手段からの信号に基づいて、前記供給物生成調整設備による前記燃料電池本体への前記供給物質の供給量を、前記定格負荷電流値に相当する量に調節する調節制御手段と、
前記逆変換装置の出力側を前記交流系統側に直接接続する交流連系手段と、
前記交流連系手段の切り離し及び接続を行う交流連系開閉手段とを有することを特徴とする燃料電池発電システム。
【請求項２】
直流電力を出力する燃料電池本体と、発電運転用の供給物質を生成調整して前記燃料電池本体に供給する供給物生成調整設備と、前記直流電力を交流電力に変換する逆変換装置と、前記逆変換装置からの電力及び交流系統からの電力を切り替えて負荷へ供給する切替手段とを有する燃料電池発電システムにおいて、
前記負荷に対して実際に負荷されている交流電流及び交流電圧を測定する電流測定手段及び電圧測定手段と、
前記電流測定手段及び前記電圧測定手段によって測定された実際の交流電流及び交流電圧に基づいて、消費電力及びその電力に相当する直流電流値を算出する演算手段と、
前記切替手段によって前記負荷への電力供給を前記交流系統側から前記逆変換装置側へ切り替える前に、前記演算手段によって算出された直流電流値が入力され、前記直流電流値に関する信号を送出する設定電流信号生成手段と、
前記設定電流信号生成手段からの信号に基づいて、前記供給物生成調整設備による前記燃料電池本体への前記供給物質の供給量を、前記演算手段によって算出された直流電流値に相当する量に調節する調節制御手段と、
前記逆変換装置の出力側を前記交流系統側に直接接続する交流連系手段と、
前記交流連系手段の切り離し及び接続を行う交流連系開閉手段とを有することを特徴とする燃料電池発電システム。
【請求項３】
供給物質の供給を受けて直流電力を出力する燃料電池本体から、逆変換装置を介して負荷に電力を供給する状態と、交流系統から前記負荷に電力を供給する状態とを切り替えて電力供給を行う燃料電池発電システムの運転制御方法において、
前記交流系統側による前記負荷への電力供給状態にあるときに、前記燃料電池本体への前記供給物質の供給量を増大させ、
前記逆変換装置の出力側と前記交流系統側とを直接接続することによって、前記燃料電池の負荷を上昇させ、
その後に、前記逆変換装置側による前記負荷への電力供給状態へ切り替えることを特徴とする燃料電池発電システムの運転制御方法。
【発明の詳細な説明】
【０００１】
【発明の属する技術分野】
本発明は、例えば、定電圧定周波電源装置や無停電電源装置等の高品位電源として使用する燃料電池発電システムに係り、特に、交流系統側から燃料電池側への切替時における各構成部材の制御に改良を施した燃料電池発電システム及びその運転制御方法に関する。
【０００２】
【従来の技術】
一般に、燃料電池発電システムには、酸化剤、還元剤及び冷却剤を生成、調整して燃料電池本体に供給する設備が不可欠である。このような発電に必要な供給物を生成・調整する設備には、酸化剤である空気の送風機や圧縮機、還元剤である水素を生成する脱硫器、改質器及び一酸化炭素生成器、冷却水を生成循環させる熱交換器、気水分離器及び水処理装置、その他これらを接続する配管やバルブ等、様々なものがある。
【０００３】
また、燃料電池発電システムには、燃料電池本体の直流電力を交流電力に変換する逆変換装置（インバータ）と、この逆変換装置から発生する交流電力を交流系統や単独負荷に供給するスイッチ群とを備えている。これらのスイッチ群は、交流系統連系運転及び単独運転の両方や相互間のスムーズな切替が行えるように構成されている。
【０００４】
このような燃料電池発電システムとして、従来から提案されているものの一例を、図４及び図５に従って説明する。なお、本システムは、燃料電池本体の電気出力を商用の交流電力系統に接続して運転する系統連系運転を可能とするシステムである。すなわち、発電に必要な供給物を生成・調整する種々の供給物生成調整設備１が燃料電池本体２に接続されている。この燃料電池本体２の出力側は、逆変換装置３及びスイッチ４を経て単独負荷５に接続されている。また、燃料電池本体２の出力側は、逆変換装置３、スイッチ４、さらにスイッチ６を経て交流系統７に接続されている。
【０００５】
以上のような燃料電池発電システムでは、燃料電池本体２は、供給物生成調整設備１から発電に必要な物質の供給を受け、直流電力を発生する。この直流電力は逆変換装置３によって交流電力に変換される。そして、通常運転時においては、スイッチ４及びスイッチ６を共に閉とすることで、単独負荷５に電力を供給しつつ、交流系統７との系統連系運転を行う。この状態で、交流系統側に異常が発生した時にはスイッチ６を開として、燃料電池本体２のみによる単独運転に移行する。また、燃料電池側が故障等で発電不能となった場合には、逆にスイッチ４を開として燃料電池本体２を切り離し、交流系統７によって単独負荷５に電力を供給する。以上のように、燃料電池側と交流系統側のいずれに故障が発生した場合であっても、故障箇所に応じてスイッチ６，７を切り替えることにより、単独負荷５に対して電力を連続的に供給することが可能となる。
【０００６】
ところで、最近のコンピュータや医療用機器の分野では、その電源電圧や周波数において、商用系統よりもさらに安定した仕様が要求される機器が増大している。そして、このような機器に対応して、ＣＶＣＦ（定電圧定周波電源装置）やＵＰＳ（無停電電源装置）が開発され、広く使用されている。定電圧定周波電源装置とは、入力変動や出力負荷の変化に関係なく、出力の電圧及び周波数を一定に保つ装置である。無停電電源装置とは、交流入力が停電しても、ある一定期間、規定の交流電力を供給する装置である。ここで、一般的な燃料電池発電システムも、その構成上、逆変換装置を有しているため、交流系統とは切り離した単独運転を行うことによって、上記のような電力の安定供給用の電源として利用することができる。よって、近年、燃料電池の利用方法の一つとして関心が高まっている。
【０００７】
但し、上記の図４に示した燃料電池発電システムを定電圧定周波電源装置や無停電電源装置として利用するには、以下のような問題がある。すなわち、スイッチ６を開状態として燃料電池本体２による単独運転を実施している場合において、燃料電池本体２に故障が発生した時、スイッチ６を閉とし、スイッチ４を開放するという手順を経る必要がある。しかし、かかる手順を経ていると、電力供給の瞬断が許されないコンピュータ等の無瞬断負荷において、通常要求される１／２サイクル以内の瞬時切替を満足することができない。
【０００８】
これに対処するため、現在では、図５に示すように、スイッチ４及びスイッチ６の代わりに、半導体による切替スイッチ８を用いたＵＰＳ代替システムが提案されている。このようなシステム構成においては、通常時は、切替スイッチ８は燃料電池側に接続され、燃料電池本体２による単独運転が実施されている。そして、燃料電池側の故障発生時等には、切替スイッチ８を１／２サイクル以下で交流系統７側に切り替え、交流系統７から単独負荷５に対して電力が供給される。さらに、燃料電池側の復旧後は、切替スイッチ８を元に戻し、燃料電池本体２から逆変換装置３を介して単独負荷５に対し電力を供給する。このように、瞬時の切替えが可能な半導体による切替スイッチ８を用いることによって、単独負荷５に対する電力供給の瞬断を防止することができる。
【０００９】
【発明が解決しようとする課題】
しかしながら、上記のような燃料電池発電システムにおいては、故障状態にあった燃料電池本体２が復旧し、交流系統７から燃料電池本体２に切り替えて単独負荷５へ電力を供給する場合、燃料電池本体２や供給物生成調整設備１の負荷を、瞬時に０−１００％に変化させることが必要となる。しかし、特別な装置無しに、このような早い負荷応答を実現させることは困難であり、発電に必要な反応物質や冷却水等が、供給物生成調製設備１から燃料電池本体２に供給されず、供給物生成調製設備１及び燃料電池本体２に無理なストレスがかかる。
【００１０】
また、上記のような燃料電池発電システムの構成では、燃料電池本体２及び交流系統７のいずれか一方の側にしか切替スイッチ８の切替えを行うことができないため、燃料電池側と交流系統側とを連系させることができす、交流連系運転を実施する可能性がある場合には不向きであった。
【００１１】
本発明は、以上のような従来技術の課題を解決するために提案されたものであり、その主たる目的は、燃料電池本体や供給物生成調製設備に無理なストレスがかかることなく、定電圧定周波電源や無停電電源装置として使用可能な燃料電池発電システムを提供することである。
【００１２】
本発明の第２の目的は、燃料電池本体や供給物生成調製設備が最適な状態において、交流系統側からの電力供給を燃料電池側からの電力供給へ移行可能な燃料電池発電システムを提供することである。
【００１３】
本発明の第３の目的は、定電圧定周波電源や無停電電源装置として使用可能であるとともに、交流系統連系運転も実現可能な燃料電池発電システムを提供することである。
【００１４】
本発明の第４の目的は、燃料電池発電システムを定電圧定周波電源や無停電電源装置として使用しても、燃料電池本体や供給物生成調製設備に無理なストレスがかからない燃料電池発電システムの運転制御方法を提供することである。
【００１５】
本発明の第５の目的は、交流系統側からの電力供給を燃料電池側からの電力供給へ移行する際に、燃料電池本体や供給物生成調製設備を最適な状態とすることが可能な燃料電池発電システムの運転制御方法を提供することである。
【００１６】
【課題を解決するための手段】
上記の目的を達成するために、請求項１及び請求項２記載の発明は、直流電力を出力する燃料電池本体と、発電運転用の供給物質を生成調整して前記燃料電池本体に供給する供給物生成調整設備と、前記直流電力を交流電力に変換する逆変換装置と、前記逆変換装置からの電力及び交流系統からの電力を切り替えて負荷へ供給する切替手段とを有する燃料電池発電システムにおいて、以下のような技術的特徴を有する。
【００１７】
すなわち、請求項１記載の発明は、前記切替手段によって前記負荷への電力供給を前記交流系統側から前記逆変換装置側へ切り替える前に、前記燃料電池本体の定格負荷電流値が設定され、前記定格負荷電流値に応じた信号を送出する設定電流信号生成手段と、前記設定電流信号生成手段からの信号に基づいて、前記供給物生成調整設備による前記燃料電池本体への前記供給物質の供給量を、前記定格負荷電流値に相当する量に調節する調節制御手段と、前記逆変換装置の出力側を前記交流系統側に直接接続する交流連系手段と、前記交流連系手段の切り離し及び接続を行う交流連系開閉手段とを有することを特徴とする。
【００１８】
以上のような請求項１記載の発明では、負荷が交流系統からの電力の供給を受けている際に、負荷変化に対して律速過程となる供給物生成調整設備からの供給物質の供給量を、実際の負荷変化の前に定格負荷電流相当にまで上昇させておく。このため、交流系統側から逆変換装置側への切替えが行われる実際の負荷変化時には、発電に必要な物質の供給が不足することなく、瞬時負荷変化に対しても安定に運転を継続することができ、燃料電池本体及び供給物生成調整設備に無理なく負荷を投入することが可能となる。つまり、瞬時に燃料電池本体による単独運転に切り替えても、供給物生成調製設備及び燃料電池本体に無理なストレスがかからない。このため、運転の安定性が確保されるとともに装置寿命が延びる。
【００１９】
また、交流連系開閉手段を備えた交流連系手段によって、燃料電池側と交流系統側とが直接接続されているので、交流連系開閉手段を開状態とすることによって単独運転が可能となり、閉状態とすることによって交流系統運転も可能となる。
【００２０】
請求項２記載の発明は、前記負荷に対して実際に負荷されている交流電流及び交流電圧を測定する電流測定手段及び電圧測定手段と、前記電流測定手段及び前記電圧測定手段によって測定された実際の交流電流及び交流電圧に基づいて、消費電力及びその電力に相当する直流電流値を算出する演算手段と、前記切替手段によって前記負荷への電力供給を前記交流系統側から前記逆変換装置側へ切り替える前に、前記演算手段によって算出された直流電流値が入力され、前記直流電流値に関する信号を送出する設定電流信号生成手段と、前記設定電流信号生成手段からの信号に基づいて、前記供給物生成調整設備による前記燃料電池本体への前記供給物質の供給量を、前記演算手段によって算出された直流電流値に相当する量に調節する調節制御手段と、前記逆変換装置の出力側を前記交流系統側に直接接続する交流連系手段と、前記交流連系手段の切り離し及び接続を行う交流連系開閉手段とを有することを特徴とする。
【００２１】
以上のような請求項２記載の発明では、負荷が交流系統からの電力の供給を受けている際に、負荷変化に対して律速過程となる供給物生成調整設備からの供給物質の供給量を、実際の負荷変化の前に、その時点での実際の負荷電力相当まで上昇させておく。このため、交流系統側から逆変換装置側への切替えが行われる実際の負荷変化時には、発電に必要な物質の供給が最適となり、瞬時負荷変化に対しても安定に運転を継続することができるので、燃料電池本体及び供給物生成調整設備が最適の状態で負荷を投入することが可能となる。
【００２２】
そして、瞬時に燃料電池本体による単独運転に切り替えても、供給物生成調製設備及び燃料電池本体に無理なストレスがかからない。このため、請求項１の発明と同様に、運転の安定性確保、装置寿命の増大が図れるとともに、供給物質量の最適化によるコスト節約になる。
【００２３】
さらに、交流連系開閉手段を備えた交流連系手段によって、燃料電池側と交流系統側とが直接接続されているので、交流連系開閉手段を開状態とすることによって単独運転が可能となり、閉状態とすることによって交流系統運転も可能となる。
【００２４】
また、請求項３記載の発明は、供給物質の供給を受けて直流電力を出力する燃料電池本体から、逆変換装置を介して負荷に電力を供給する状態と、交流系統から前記負荷に電力を供給する状態とを切り替えて電力供給を行う燃料電池発電システムの運転制御方法において、前記交流系統側による前記負荷への電力供給状態にあるときに、前記燃料電池本体への前記供給物質の供給量を増大させ、前記逆変換装置の出力側と前記交流系統側とを直接接続することによって、前記燃料電池の負荷を上昇させ、その後に、前記逆変換装置側による前記負荷への電力供給状態へ切り替えることを特徴とする。
【００２５】
以上のような請求項３記載の発明では、負荷が交流系統からの電力の供給を受けている際に、負荷変化に対して律速過程となる供給物生成調整設備からの供給物質の供給量を、実際の負荷変化の前に上昇させておく。このため、交流系統側から逆変換装置側への切替えが行われる実際の負荷変化時には、発電に必要な物質の供給が不足することなく、瞬時負荷変化に対しても安定に運転を継続することができ、燃料電池本体及び供給物生成調整設備に無理なく負荷を投入することが可能となる。
【００２６】
また、負荷が交流系統からの電力の供給を受けている際に、燃料電池側と交流系統側とを接続して交流連系モードにし、穏やかに燃料電池本体の負荷を上昇させる。そして、負荷が十分に高くなった後に、燃料電池本体による単独運転又は燃料電池本体と交流系統との交流連系運転に切り替える。すると、燃料電池本体及び供給物生成調整設備に無理なく負荷を投入することが可能となる。
【００２７】
そして、瞬時の単独負荷接続においても供給物生成調整設備及び燃料電池本体に無理なストレスがかからず、運転の安定性が向上するとともに装置寿命が延びる。
【００２８】
【発明の実施の形態】
以上のような本発明の実施の形態を、図面に従って以下に説明する。なお、図４及び図５に示した従来技術と同一の部材は、同一の符号を付し、説明は省略する。
【００２９】
（１）第１の実施の形態
本発明の第１の実施の形態を、図１に従って以下に説明する。なお、請求項に記載の切替手段は切替スイッチ、設定電流信号生成手段は電流設定器、信号切替スイッチ及び設定関数とする。
【００３０】
（構成）
まず、本実施の形態の構成を説明する。すなわち、図１に示すように、燃料電池本体２と逆変換装置３との間に、直流電流を計測する電流検出手段９が設けられている。この電流検出手段９は制御装置１０に接続されている。この制御装置１０には、設定関数１１、調節制御手段１２、信号切替スイッチ１３、電流設定器１４が設定されている。
【００３１】
このうち設定関数１１は、直流電流信号の値に応じて、燃料電池発電反応に必要な供給物の供給量に関する信号を決定する関数である。そして、調節制御手段１２は供給物生成調整設備１に接続され、設定関数１１からの信号に従って、供給指令を供給物生成調整設備１に出力する制御系である。また、電流設定器１４は、あらかじめ定められた定格負荷相当の直流電流信号が設定される設定器である。
【００３２】
さらに、信号切替スイッチ１３は、設定関数１１に対して送出される信号を、電流検出手段９からの実際の直流電流信号と電流設定器１４からの定格負荷相当の直流電流信号とのいずれかに切り替えるスイッチである。
【００３３】
（作用）
以上のような構成を有する本実施の形態の作用は、以下の通りである。すなわち、通常時においては、切替スイッチ８は逆変換装置３側に接続されており、逆変換装置３からの電力による定電圧・定周波数の高品位電源運転が実施される。このとき、信号切替スイッチ１３は電流検出手段９側に接続されているので、燃料電池本体２からの直流電流は電流検出手段９によって計測され、その計測値が制御装置１０に取り込まれる。このように取り込まれた直流電流信号の値に応じて、制御装置１０の設定関数１１において、燃料流量、空気流量及び冷却水量等の燃料電池発電反応に必要な物質の供給量に関する信号が決定される。
【００３４】
そして、設定関数１１からの信号に応じて、調節制御手段１２から供給物生成調整設備１に対して供給指令が出力されるので、各供給物質が決定された供給量に応じて燃料電池本体２に対し供給される。
【００３５】
次に、燃料電池側の故障時には、切替スイッチ８が瞬時に交流系統７側に切り替わり、単独負荷５への無瞬断供給が実施される。そして、燃料電池本体２が復旧し、交流系統７からの電力に代わって再び燃料電池本体２からの電力に切り替える前に、あらかじめ信号切替スイッチ１３を負荷設定器１４側にしておく。すると、模擬的に定格負荷電流相当の信号が電流設定器１４から設定関数１１に与えられ、この定格負荷電流信号の値に応じて、制御装置１０の設定関数１１において、供給物質の供給量に関する信号が決定される。そして、設定関数１１からの信号に応じて、調節制御手段１２から供給物生成調整設備１に対して供給指令が出力されるので、供給物生成調製設備１から定格負荷電流相当の各供給物質が供給される。
【００３６】
ここで、改質器等の化学反応器や配管、バルブ等によって構成される供給物生成調製設備１は、約５秒で定格負荷電流相当の供給物質の生成を行うことができるため、時間遅れ（タイムディレー）５秒の後、切替スイッチ８を逆変換装置３側とし、燃料電池本体２による単独運転状態とする。この後、信号切替スイッチ１３を電流検出手段９側にし、実際の電流による通常制御状態に戻す。
【００３７】
（効果）
以上のような本実施の形態の効果は以下の通りである。すなわち、燃料電池側が復旧し、再び負荷への供給電力を交流系統７の電力から燃料電池本体２の電力に切り替える際、事前に定格負荷電流相当の直流電流の増加を模擬的に実施することにより、発電に必要な供給物生成調整設備１での供給物質の生成供給量を確保させておくので、発電に十分な供給物質の供給能力を得ることができる。
【００３８】
従って、タイムディレーの後、切替スイッチ８を逆変換装置３側とし、瞬時に燃料電池本体２による単独運転に切り替えても、供給物生成調製設備１及び燃料電池本体２に無理なストレスがかからない。このため、運転の安定性が確保されるとともに装置寿命が延びる。
【００３９】
（２）第２の実施の形態
本発明の第２の実施の形態を、図２に従って以下に説明する。
【００４０】
（構成）
まず、本実施の形態の構成を説明する。すなわち、図２に示すように、本実施の形態は、第１の実施の形態において、単独負荷５へ供給される交流電圧、電流を計測する交流電圧検出手段１５、交流電流検出手段１６が設けられている。これら交流電圧検出手段１５及び交流電流検出手段１６は、制御装置１０における演算手段１９に接続されている。この演算手段１９は、交流電圧検出手段１５及び交流電流検出手段１６の検出値から、消費電力及びその電力に相当する直流電流を演算手段１９にて演算するものであり、電流設定器１４に接続されている。
【００４１】
（作用）
以上のような本実施の形態の作用は以下の通りである。すなわち、通常時は、上記第１の実施の形態と同様に、燃料電池本体２による単独運転が実施され、燃料電池側の故障時には、切替スイッチ８が瞬時に交流系統７側に切り替わり、単独負荷５への無瞬断供給が実施される。
【００４２】
次に、燃料電池側が復旧し、交流系統７からの電力に代わって再び燃料電池本体２からの電力に切り替える前に、あらかじめ信号切替スイッチ１３を電流設定器１４側にしておく。そして、その時点で単独負荷５へ供給されている交流電圧、交流電流がそれぞれ交流電圧検出手段１５、交流電流検出手段１６によって計測され、演算手段１９に送られる。演算手段１９では、それら交流電圧、交流電流の検出値から消費電力及びその電力に相当する直流電流が演算され、その時点での実際の負荷電力相当の直流電流が電流設定器１４に与えられる。
【００４３】
信号切替スイッチ１３は電流設定器１４側となっているので、その時点での実際の負荷電力に相当する直流電流の信号が電流設定器１４から設定関数１１に与えられ、この定格負荷電流信号の値に応じて、制御装置１０の設定関数１１において、供給物質の供給量に関する信号が決定される。そして、設定関数１１からの信号に応じて、調節制御手段１２から供給物生成調整設備１に対して供給指令が出力されるので、供給物生成調製設備１から、実際の負荷電力に相当する各供給物質が供給される。
【００４４】
ここで、供給物生成調製設備１は、約５秒で、その時点での実際の負荷電力に相当する供給物質の生成を行うことができるため、タイムディレー５秒の後、切替スイッチ８を逆変換装置３側とし、燃料電池本体２による単独運転状態とする。この後、信号切替スイッチ１３を電流検出手段９側にし、実際の電流による通常制御状態に戻す。
【００４５】
（効果）
以上のような本実施の形態の効果は以下の通りである。すなわち、燃料電池側が復旧し、再び負荷への供給電力を交流系統７の電力から燃料電池本体２の電力に切り替える際、事前にその時点での実際の単独負荷５への供給電力に相当する直流電流の増加を実施することにより、その時点での発電に最適な供給物生成調製設備１での供給物質の生成供給量を確保させておくので、発電に最も適した供給物質の供給能力を得ることができる。
【００４６】
従って、タイムディレーの後、切替スイッチ８を逆変換装置３側とし、瞬時に燃料電池本体２による単独運転に切り替えても、供給物生成調整設備１及び燃料電池本体２に無理なストレスがかからない。このため、第１の実施の形態と同様に、運転の安定性確保、装置寿命の増大が図れるとともに、供給物質量の最適化によるコスト節約になる。
【００４７】
（３）第３の実施の形態
本発明の第３の実施の形態を、図３に従って以下に説明する。なお、請求項に記載の交流連系手段はバイパスライン１７とし、交流連系開閉手段はスイッチ１８とする。
【００４８】
（構成）
まず、本実施の形態の構成を説明する。すなわち、本実施の形態は、図３に示すように、図５で示した従来技術において、切替スイッチ８と並列に、逆変換装置２の出力側と交流系統７側とを電気的に連系するバイパスライン１７が接続されている。そして、このバイパスライン１７を開閉するスイッチ１８が設けられている。
【００４９】
（作用）
以上のような構成を有する本実施の形態の作用は、以下の通りである。すなわち、通常時においては、切替スイッチ８は逆変換装置３側に接続され、燃料電池本体２からの出力を交流系統７に連系するスイッチ１８は開放とすることにより、逆変換装置３からの電力による定電圧・定周波の高品位電源運転が実施される。そして、燃料電池側の故障発生時等には、切替スイッチ８を瞬時に（例えば、１／２サイクル以下で）交流系統７側に切り替え、交流系統７から単独負荷５に対して電力を供給する。さらに、燃料電池側の復旧後は、切替スイッチ８を逆変換装置３側に戻し、燃料電池本体２から単独負荷５に電力を供給することにより、通常の定電圧・定周波数の高品位電源運転に移行させる。
【００５０】
また、上記のような燃料電池側の故障発生前の通常運転状態又は復旧後の通常運転状態において、スイッチ１８を閉とすることにより、必要に応じて適宜交流系統７との交流連系運転を実施する。
【００５１】
（効果）
以上のような本実施の形態の効果は以下の通りである。すなわち、スイッチ１８を開とすることにより、通常時は、逆変換装置３による定電圧・定周波数の高品位電源運転を実施でき、必要に応じてスイッチ１８を閉とすることにより、交流系統７との交流連系運転が実施可能となる。
【００５２】
（４）第４の実施の形態
本発明の第４の実施形態を、図３に従って以下に説明する。なお、本実施の形態は、図３に示した第３の実施の形態と同様の構成の燃料電池発電システムにおいて、以下のような運転制御を行うものである。
【００５３】
すなわち、通常時においては、切替スイッチ８は燃料電池側に接続され、燃料電池本体２からの出力を交流系統７に連系するスイッチ１８は開放とすることにより、逆変換装置３からの電力による定電圧・定周波の高品位電源運転が実施される。次に、燃料電池側の故障発生時等には、切替スイッチ８を瞬時に（例えば、１／２サイクル以下で）交流系統７側に切り替え、交流系統７から単独負荷５に対して電力を供給する。
【００５４】
そして、燃料電池側の復旧後は、一度スイッチ１８を閉として逆変換装置３の出力側と交流系統７とを直接接続し、燃料電池側を交流連系状態にして穏やかに負荷を増加させた後に、切替スイッチ８を逆変換装置３側に戻す。さらに、スイッチ１８を開放して、燃料電池本体２から単独負荷５に電力を供給することにより、通常の定電圧・定周波数の高品位電源運転に移行させる。
【００５５】
以上のような本実施の形態の効果は以下の通りである。すなわち、燃料電池側が復旧した後、燃料電池を交流連系状態にして穏やかに負荷を増加させた後に、燃料電池本体２に単独負荷５を接続するので、瞬時の単独負荷接続においても供給物生成調整設備１及び燃料電池本体２に無理なストレスがかからず、運転の安定性が向上するとともに装置寿命が延びる。また、第３の実施の形態と同様に、必要に応じてスイッチ１８を閉とすることにより、交流系統７との交流連系運転が実施可能となる。
【００５６】
（５）他の実施の形態
本発明は上記のような実施の形態に限定されるものではなく、各部材の種類、数、配置等は適宜変更可能である。例えば、燃料電池としては、現在最も開発が進んでいるりん酸型をはじめとして、溶融炭酸塩型、固体電解質型、アルカリ型、固体高分子型等、他の様々な種類のものが適用可能である。また、本発明は、定電圧定周波電源としても、無停電電源装置としても適用可能である。そして、制御装置は所定のプログラムによってコンピュータを作動させることによっても、専用の回路によっても実現可能である。
【００５７】
さらに、上記第１の実施の形態又は第２の実施の形態に対して、第３の実施の形態と同様にバイパスライン１７及びスイッチ１８を設けることによって、請求項３及び請求項５記載の発明の他の実施の形態を実現することもできる。かかる実施の形態によれば、第１の実施の形態又は第２の実施の形態と同様の効果が得られるとともに、交流系統７との交流連系運転が可能となり、第３の実施の形態及び第４の実施の形態と同様の効果が得られる。
【００５８】
【発明の効果】
以上説明したように、本発明によれば、燃料電池本体や供給物生成調製設備に無理なストレスがかかることなく、定電圧定周波電源や無停電電源装置として使用可能な燃料電池発電システムを提供することができる。
【００５９】
本発明によれば、燃料電池本体や供給物生成調製設備が最適な状態において、交流系統側からの電力供給を燃料電池側からの電力供給へ移行可能な燃料電池発電システムを提供することができる。
【００６０】
本発明によれば、定電圧定周波電源や無停電電源装置として使用可能であるとともに、交流系統連系運転も実現可能な燃料電池発電システムを提供することができる。
【００６１】
本発明によれば、燃料電池発電システムを定電圧定周波電源や無停電電源装置として使用しても、燃料電池本体や供給物生成調製設備に無理なストレスがかからない燃料電池発電システムの運転制御方法を提供することができる。
【００６２】
本発明によれば、交流系統側からの電力供給を燃料電池側からの電力供給へ移行する際に、燃料電池本体や供給物生成調製設備を最適な状態とすることが可能な燃料電池発電システムの運転制御方法を提供することができる。
【図面の簡単な説明】
【図１】本発明の燃料電池発電システムの第１の実施の形態を示す構成図である。
【図２】本発明の燃料電池発電システムの第２の実施の形態を示す構成図である。
【図３】本発明の燃料電池発電システムの第３の実施の形態を示す構成図である。
【図４】従来の燃料電池発電システムの一例を示す構成図である。
【図５】従来の燃料電池発電システムの一例を示す構成図である。
【符号の説明】
１…供給物生成調整装置
２…燃料電池本体
３…逆変換装置
４，６…スイッチ
５…単独負荷
７…交流系統
８…切替スイッチ
９…電流検出手段
１０…制御装置
１１…設定関数
１２…調節制御手段
１３…信号切替スイッチ
１４…電流設定器
１５…交流電圧検出手段
１６…交流電流検出手段
１７…バイパスライン
１８…スイッチ
１９…演算手段
【図１】
0003607025.tif 000002
【図２】
0003607025.tif 000003
【図３】
0003607025.tif 000004
【図４】
0003607025.tif 000005
【図５】
0003607025.tif 000006